(57)【特許請求の範囲】
【請求項１】
両端にねずみ侵入口を有する筒状の本体と、この本体の内部底面に設けた粘着部材とを備えたねずみ捕獲器において、本体両端の前記ねずみ侵入口の間に逃亡防止壁がこれらのねずみ侵入口に向かってスライド自在に設けられ、かつ両侵入口またはその近傍に前記逃亡防止壁が本体から離脱するのを阻止するためのストッパーを設けたことを特徴とするねずみ捕獲器。
【請求項２】
前記逃亡防止壁の壁面が網材ないし格子材からなる請求項１記載のねずみ捕獲器。
【請求項３】
前記逃亡防止壁が、犬または猫に有効な忌避剤を保持している請求項１記載のねずみ捕獲器。
【請求項４】
前記本体および／または粘着部材が、犬または猫に有効な忌避剤を保持している請求項１記載のねずみ捕獲器。
【請求項５】
前記忌避剤が前記本体の外面および／または内面に保持されている請求項４記載のねずみ捕獲器。
【請求項６】
前記忌避剤が前記本体の少なくともねずみ侵入口またはその近傍に保持されている請求項４記載のねずみ捕獲器。
【請求項７】
前記忌避剤が前記本体のねずみ侵入口に設けた突出片に保持されている請求項４記載のねずみ捕獲器。
【請求項８】
前記忌避剤が前記本体のねずみ侵入口近傍に設けた打ち出し片に保持されている請求項４記載のねずみ捕獲器。
【発明の詳細な説明】
【０００１】
【発明の属する技術分野】
本発明は、特に大型ねずみを捕獲するのに適したねずみ捕獲器に関し、より詳しくは内部底面に設けた粘着部材でねずみを捕獲する形式のねずみ捕獲器に関する。
【従来の技術】
【０００２】
従来より、捕獲器本体の内部底面に粘着部材を設けたねずみ捕獲器はよく知られている（例えば特公平３−１７６６７号公報）。このような従来のねずみ捕獲器は、通常、体長が２０ｃｍ程度の比較的小型のねずみを捕獲対象としたものである。
【０００３】
【発明が解決しようとする課題】
しかし、近時は、体長４０ｃｍ以上で、体重６００ｇまたはそれ以上にも及ぶ大型のねずみが飲食店等に出没するようになり、このような大型ねずみを確実に捕獲できる捕獲器が要望されていた。
【０００４】
このため、小型ねずみを対象とした従来の捕獲器を大型ねずみ用に大型化することが提案されているが、以下のような問題があった。
(1) 捕獲器内に設置した餌等の誘引剤に誘われて猫や犬等の愛玩動物が捕獲器内に入ってしまい、ねずみ捕獲性能を充分に発揮できないおそれがある。
(2) 大型ねずみは力が強いため、粘着部材の粘着力だけでは、一旦捕獲したねずみが逃亡するおそれがある。
従って、本発明の目的は、大型ねずみをも確実に捕獲できるねずみ捕獲器を提供することである。
【０００５】
【課題を解決するための手段】
本発明者らは上記課題を解決すべく鋭意研究を重ねた結果、前記(1) の問題に対しては、愛玩動物に有効な忌避剤を使用することにより愛玩動物が捕獲器内に入るのを防止できること、また前記(2) の問題に対しては、捕獲器内に入ったねずみの前面に逃亡防止壁を設けるのが有効であることを見出し、本発明を完成するに到った。
【０００７】
すなわち、本発明のねずみ捕獲器は、前記(2) の問題を解決するために、両端にねずみ侵入口を有する筒状の本体と、この本体の内部底面に設けた粘着部材とを備えたものであって、本体両端の前記ねずみ侵入口の間に逃亡防止壁がこれらのねずみ侵入口に向かってスライド自在に設けられ、かつ両侵入口またはその近傍に前記逃亡防止壁が本体から離脱するのを阻止するためのストッパーを設けたことを特徴とする。
このように構成すると、両端の侵入口のいずれから侵入したねずみに対しても逃亡防止壁が有効に働くため、ねずみの逃亡を確実に防止することができる。
さらに、本発明のねずみ捕獲器は、前記(1) の問題を解決するために、犬または猫に有効な忌避剤を少なくとも一部に保持していることが好ましい。このような本発明のねずみ捕獲器は、ねずみ侵入口を有する本体と、この本体の内部底面に設けた粘着部材とを備えたものであって、前記本体および／または粘着部材が、愛玩動物に有効な忌避剤を保持していることを特徴とする。
ここで、愛玩動物とは、犬または猫を意味する。
【０００８】
【発明の実施の形態】
まず、本発明のねずみ捕獲器における前記逃亡防止壁および前記ストッパー以外の構成について、第１の実施形態として説明する。
本発明の第１の実施形態を図１〜４図を参照して説明する。図１において、１はねずみ捕獲器の本体であり、本体１の両端にはねずみ侵入口２，２が設けられ、内部底面には粘着部材３が載置される。図１は、この実施形態のねずみ捕獲器を使用状態で示しており、本体１の一側面が壁２０に接触して床２１上に設置されている。
【０００９】
本体１は、図２に示すように、１枚の厚紙５０を折り返すことにより組み立てられる。すなわち、本体１は略長方形の厚紙５０を五つ折りにして、底面４、側面５，６および天面７，８を有する筒形で構成される。より詳しくは、本体１の組立て状態で、一方の側面６は底面４からほぼ直角に立設され、他方の側面５は底面４から内向きに傾斜した断面が略台形の筒形となるように構成される。また、一方の天面７には差し込み口９と取っ手１１が、他方の天面８には差し込み片１０と取っ手１２がそれぞれ設けられる。
【００１０】
底面４の両端部には折り返し片１３，１３が設けられる。この折り返し片１３，１３はねずみ侵入時の踏み板となるものである（図１を参照）。各折り返し片１３，１３の折り目部分には切込み１４が設けられている。
【００１１】
本体１の組立に際しては、図３（ａ）に示すように、粘着部材３を底面４上に載置する。粘着部材３はトレー１５の中に粘着剤１６を収容したものである。トレー１５の両端には舌部１７，１７が設けられており、これらの舌部１７，１７を底面４の両端に設けた切込み１５，１５に差し込んで粘着部材３を固定する。ついで、図３（ｂ）に示すように、取っ手１１，１２を重ね合わせ、差し込み片１０，１０を差し込み口９，９に下から差し込んで、本体１を組み立てる。使用に際しては、ソーセージ、カマボコ等の餌を誘引剤として粘着部材３に載置して、図１に示すようにして床２１上に設置する。
【００１２】
なお、図２において、一点鎖線で示す１８は内折れ用の折り目であり、両側面５，６にそれぞれ設けられる。この折り目１８，１８は、例えば不要になった捕獲器を廃棄する場合に、図４に示すように、両側面５，６を折り目１８で内折れさせて小さく折り畳むことができるようにしたものである。
また、図３（ａ）において、４０はトレー１５に設けた凹部であり、この凹部４０はいわば粘着剤の深みとなっているので、ねずみがこの深みに足を取られ脱出を困難なものにすることができる。
【００１３】
この実施形態にかかるねずみ捕獲器は大型ねずみを捕獲できるように、高さ約１０〜２５ｃｍ、底面４の幅約１５〜３０ｃｍ、長さ約３０〜６０ｃｍと大きく形成されている。このため、餌に誘われて愛玩動物が本体１内に入り込まないように、愛玩動物に有効な忌避剤が少なくとも一部に保持される。忌避剤を保持する部位は特に制限されず、本体１および／または粘着部材３であればよい。
【００１４】
本体１が忌避剤を保持する場合、該忌避剤は本体１の外面および／または内面の全面または一部に保持されるのが好ましい。具体例としては、少なくともねずみ侵入口２またはその近傍に忌避剤を保持させるのがよい。ねずみ侵入口２の場合、該侵入口２の開口周縁部の全部または一部に忌避剤を保持させることができ、例えば踏み板となる折り返し片１３に忌避剤を保持させることができる。
【００１５】
一方、粘着部材３が忌避剤を保持する場合、該忌避剤を粘着剤１６に含有させるか、あるいはトレー１５の周縁に保持させることができ、後者の場合、特にねずみ侵入口２に近い部位の縁部表面に忌避剤を保持させるのがよい。
【００１６】
図５〜図６は忌避剤の他の保持部位を示している。図５に示すねずみ捕獲器は本体１’の両端に設けたねずみ侵入口２の上縁に本体１’から突出した突出片１９を設けたものであって、この突出片１９に忌避剤を保持させる。この場合、突出片１９および折り返し片１３の両方に忌避剤を保持させることができる。突出片１９は本体１’の天面から前傾ないし水平に突出している。その他は前述の実施形態と同じである。
【００１７】
また、図６に示すねずみ捕獲器は本体１”の両端に設けたねずみ侵入口２近傍の天面から打ち出し片２２を打ち出したものであって、この打ち出し片２２に忌避剤を保持させる。打ち出し片２２は天面の一部にコ字形の切り目を入れ、この切り目部分を下向きに折り曲げることにより形成される。打ち出し片２２は天面から最大１８０°まで折り曲げることができるが、下向きに垂下しているのが好ましい。また、打ち出し片２２および折り返し片１３の両方に忌避剤を保持させることができる。その他は前述の実施形態と同じである。
【００１８】
忌避剤としては、犬または猫の愛玩動物に対して高い忌避効果を有し、ねずみに対して忌避効果に劣るものであればよい。このような忌避剤としては、例えばメチルノニルケトン誘導体を有効成分とする忌避剤［例えばCANY'S社（フランス）製のREPULSIF D'INTERIEUR、含量３．１７重量％］等が挙げられるが、これに限定されるものではなく種々のものが使用可能である。
【００１９】
忌避剤の保持方法としては、例えば図２に示す厚紙５０の所定部位に忌避剤を含浸させるか、コーティングする等の方法が挙げられる。コーティングは、例えば忌避剤をそのまま、または樹脂等のバインダー剤と混合して所定部位に塗布または噴霧する等して行う。また、忌避剤を担持した粘着テープを本体１の所定部位に貼付してもよい。忌避剤の含浸量またはコーティング量は、愛玩動物に対して忌避効果を有し、ねずみに対する忌避効果が低い量であればよく、特に制限されない。
【００２０】
なお、以上の説明では、便宜上、ねずみを粘着部材３で捕獲する形式の捕獲器に愛玩動物に有効な忌避剤を適用する場合について説明したが、他の形式のねずみ捕獲器にも同様にして適用可能である。
【００２１】
次に、前記逃亡防止壁および前記ストッパーを含む本発明の実施形態（第２の実施形態）を図８〜１０を参照して説明する。図８に示すねずみ捕獲器は、筒形の本体１内に壁面が不透明で通気性を有する部材２６（例えば網材等が挙げられる。以下、単に網材２６という）からなる逃亡防止壁２３を設置したものである。この逃亡防止壁２３は本体１内のほぼ中央部でトレー１５の両側縁上にスライド自在に載置されている。すなわち、図９に示すように、逃亡防止壁２３は本体１内の開口をほぼ塞ぐ大きさで構成され、下部にトレー１５の両側縁に跨がって載置される載置板２４を有し、上部につば状のガイド２５を有する。このガイド２５によって、逃亡防止壁２３は転倒することなく本体１内を図８に矢印で示すように両方向、すなわちねずみ侵入口２，２に向かってスライド可能となる。そして、逃亡防止壁２３がスライドして一方のねずみ侵入口２に近づいたとき、図１０に示すように載置板２４が折り返し片１３に当たって、逃亡防止壁２３が本体１から離脱するのを防止する。すなわち、この実施形態では、折り返し片１３はねずみ侵入口２に設けられたストッパーとして機能する。
【００２２】
逃亡防止壁２３を本体１内に設けるには、本体１の組立時に、本体１の底面４上に載置したトレー１５の略中央部に逃亡防止壁２３を立て、その状態で本体１を組み立てればよい。本体１の組み立て後、逃亡防止壁２３が不用意に動くのを防止するために、逃亡防止壁２３を本体１の中央部に仮着しておくのが好ましい。このような仮着手段としては、例えば載置板２４をトレー１５に、あるいはガイド２５を本体１の天板内面にそれぞれ接着剤または粘着剤で仮接着する他、載置板２４とトレー１５、および／またはガイド２５と天板裏面とにそれぞれ互いに係合する凹部と凸部とを設け、外力が加わったときにそれらの係合が解除されるようにするなどの手段が挙げられる。
【００２３】
このように、この実施形態では本体１内に逃亡防止壁２３を設けたため、力の強い大型ねずみが本体１内から逃亡しようとして前方の逃亡防止壁２３を勢いよく押しても（図１０に矢印Ａで示す）、前記ストッパーでねずみの勢いを止めることができるため、大型ねずみを確実に捕獲できる。また、逃亡防止壁２３はねずみ侵入口２の近傍で止まるので、捕獲器を廃棄する場合、当該逃亡防止壁２３を底蓋として利用でき、廃棄が容易になるという利点もある。
【００２４】
また、逃亡防止壁２３はその壁面部分が枠体２７内に張設された不透明で通気性を有する部材（網材２６）で構成されているので、餌等の誘引剤の臭いが逃亡防止壁２３によって遮蔽されることがない。なお、網材２６に代えて格子材（縦格子、横格子またはこれらを組み合わせた格子材）その他の不透明で通気性を有する部材を使用しても同様の効果が得られる。さらに、逃亡防止壁２３の両側に誘引剤を置いたり、誘引剤を置くのに邪魔にならないように逃亡防止壁２３と粘着部材３との間に隙間を設けるなどすれば、誘引効果を損なうことがないので、他の壁材、例えば厚紙、プラスチック板等を逃亡防止壁２３の壁面材に使用することができる。
【００２５】
図１１および図１２は本発明における逃亡防止壁の他の形態を示しており、捕獲器の本体３０の両側面３１，３２にそれぞれ長手方向にスリット状のガイド３３，３４が設けられ、このガイド３３，３４に逃亡防止壁３５の両側部から突出した係止片３７，３８を係止させることにより、逃亡防止壁３５を本体３０のほぼ中央部にガイド３３，３４に沿ってスライド自在に保持している。前記本体３０のねずみ侵入口３９，３９の近傍に位置するガイド３３，３４の端部３６，３６がストッパーとなって、逃亡防止壁３５が本体３０から離脱するのを防止している。逃亡防止壁３５の壁面は前記と同様に網材、格子材等の不透明で通気性を有する部材のほか、他の壁面材でも構成することができる。その他の構成および効果は前述の実施形態と同じである。
【００２６】
なお、本発明における逃亡防止壁やストッパーは、図８〜図１２に示したものに限定されるものではなく、種々の形態が可能である。
【００２７】
以上の説明では、ねずみ捕獲器が愛玩動物に有効な忌避剤を少なくとも一部に保持している第１の実施形態と、本体内に逃亡防止壁をスライド自在に設けた第２の実施形態とを別個に説明したが、例えば逃亡逃亡防止壁およびそのストッパーを有する図８〜図１０に示すねずみ捕獲器や図１１，図１２に示すねずみ捕獲器が、第１の実施形態と同様に少なくとも一部に愛玩動物に有効な忌避剤を保持していてもよいことは勿論であり、より確実に大型ねずみを捕獲できるという点で好ましい実施形態である。
また、前記逃亡防止壁２３，３５の全部または一部に前記した誘引剤および／または忌避剤を保持させてもよい。
【００２８】
【発明の効果】
本発明によれば、両端にねずみ侵入口を設けたねずみ捕獲器本体内に逃亡防止壁をスライド自在に設け、かつ該逃亡防止壁が本体から離脱するのを阻止するためのストッパーを設けたため、捕獲時に粘着力に抗して逃亡しようとする力の強い大型ねずみに対しても、逃亡防止壁が有効に作用してねずみの逃亡を防止し、ねずみを確実に捕獲できるという効果がある。
さらに、本願発明によれば、ねずみ捕獲器が犬または猫に有効な忌避剤を少なくとも一部に保持していることにより、犬または猫の愛玩動物が捕獲器内に入るのが防止され、その結果、ねずみ捕獲器本来の性能が損なわれることなく、ねずみを確実に捕獲できるという効果もある。
【図面の簡単な説明】
【図１】本発明の第１の実施形態に係るねずみ捕獲器をその使用状態で示す斜視図である。
【図２】第１の実施形態に係るねずみ捕獲器本体を展開した状態を示す平面図である。
【図３】ねずみ捕獲器本体の組立て手順を示す説明図である。
【図４】折り畳み可能なねずみ捕獲器の説明図である。
【図５】第１の実施形態の他の例を示す部分斜視図である。
【図６】第１の実施形態のさらに他の例を示す部分斜視図である。
【図７】図６に示すねずみ捕獲器の縦断面図である。
【図８】本発明の第２の実施形態に係るねずみ捕獲器を示す一部切り欠き斜視図である。
【図９】図８に示すねずみ捕獲器の横断面図である。
【図１０】図８に示すねずみ捕獲器の作用を示す部分縦断面図である。
【図１１】第２の実施形態の他の例を示すねずみ捕獲器の横断面図である。
【図１２】図１１に示すねずみ捕獲器の側面図である。
【符号の説明】
１    本体
２    ねずみ侵入口
３    粘着部材
１９    突出片
２２    打ち出し片
２３    逃亡防止壁
３５    逃亡防止壁
【図１】
0004111413.tif 000002
【図２】
0004111413.tif 000003
【図３】
0004111413.tif 000004
【図４】
0004111413.tif 000005
【図５】
0004111413.tif 000006
【図６】
0004111413.tif 000007
【図７】
0004111413.tif 000008
【図８】
0004111413.tif 000009
【図９】
0004111413.tif 000010
【図１０】
0004111413.tif 000011
【図１１】
0004111413.tif 000012
【図１２】
0004111413.tif 000013